(57)【要約】【課題】表示手段の部材製作費や表示内容の変更に伴う部品の着脱の繰返しを必要としない安全な乗客コンベアを提供する。【解決手段】無端状に連結され、循環移動する複数の踏段１と、踏段１を構成する踏板２及びライザー３と、踏板２またはライザー３の全部または一部に設けられた透光性を有する透光部と、乗客コンベア内部に固定配置され、透光部に向けて表示を投影する少なくとも一個の投影手段５とを備え、投影手段に、表示内容の変更が可能な制御手段を有するようにした。【選択図】図１
2008007275.tif 000002
【特許請求の範囲】
【請求項１】
無端状に連結され、循環移動する複数の踏段と、
前記踏段を構成する踏板及びライザーと、
前記踏板または前記ライザーの全部または一部に設けられた透光性を有する透光部と、
乗客コンベア内部に固定配置され、前記透光部に向けて表示を投影する少なくとも一個の投影手段と、
を備えたことを特徴とする乗客コンベア。
【請求項２】
投影手段は、表示内容の変更が可能な制御手段を有することを特徴とする請求項１記載の乗客コンベア。
【請求項３】
制御手段は、乗客コンベアの制御盤または乗客コンベア外部との通信により、表示内容の変更が可能な通信手段を有することを特徴とする請求項２記載の乗客コンベア。
【請求項４】
投影手段が、段差走行中の露出しているライザーの高さに、投影方向をライザーに向けて水平方向に固定配置されたことを特徴とする請求項１〜請求項３のいずれかに記載の乗客コンベア。
【請求項５】
投影手段が、乗客コンベアの最下段または最上段の踏板の直下に投影方向を鉛直上向きにして固定配置されたことを特徴とする請求項１〜請求項３のいずれかに記載の乗客コンベア。
【発明の詳細な説明】
【技術分野】
【０００１】
この発明は、踏段に表示を施す乗客コンベアに関するものである。
【背景技術】
【０００２】
従来の踏段に表示を施す乗客コンベアにおいては、複数の支持部材に支持された各ステップが限定された外形をもっていて隣接ステップ間での相対的運動を可能となしている乗客運搬装置において、前記ステップの少なくとも１つがその中に設けた窓部分と、前記窓部分の開口を閉じるよう前記支持部材に固定した支持板と、前記支持板と透明又は半透明のカバー板の間の標識表示手段とをもち、前記カバー板は前記標識を覆って前記窓部分を閉鎖するよう前記ステップに固定されかつ前記ステップの限定された外形に対応する外形をもつことを特徴とするものが提案されている（例えば、特許文献１参照）。
【特許文献１】特許第２６３６５０２号公報
【発明の開示】
【発明が解決しようとする課題】
【０００３】
特許文献１記載のものは、表示内容を変更する場合、表面のカバーを取り外した後、標識表示手段を交換し、再びカバーを取り付ける必要があるため、新しい表示手段の部材製作費が発生し、また交換作業にも手間がかかっていた。また、部品の着脱の繰返しによる部品の変形や磨耗、固定状態の悪化や表面のカバーの脱落等、安全性が損なわれるという問題があった。
【０００４】
この発明は、上述のような課題を解決するためになされたもので、その目的は、表示手段の部材製作費や表示内容の変更に伴う部品の着脱の繰返しを必要としない安全な乗客コンベアを提供することである。
【課題を解決するための手段】
【０００５】
この発明に係る乗客コンベアは、無端状に連結され、循環移動する複数の踏段と、前記踏段を構成する踏板及びライザーと、前記踏板または前記ライザーの全部または一部に設けられた透光性を有する透光部と、乗客コンベア内部に固定配置され、前記透光部に向けて表示を投影する少なくとも一個の投影手段とを備えたものである。
【発明の効果】
【０００６】
この発明は、無端状に連結され、循環移動する複数の踏段と、前記踏段を構成する踏板及びライザーと、前記踏板または前記ライザーの全部または一部に設けられた透光性を有する透光部と、乗客コンベア内部に固定配置され、前記透光部に向けて表示を投影する少なくとも一個の投影手段とを備える構成としたことで、表示手段の部材製作費や表示内容の変更に伴う部品の着脱の繰返しを必要としない安全な乗客コンベアを提供することができる。
【発明を実施するための最良の形態】
【０００７】
この発明をより詳細に説明するため、添付の図面に従ってこれを説明する。なお、各図中、同一又は相当する部分には同一の符号を付しており、その重複説明は適宜に簡略化ないし省略する。
【０００８】
実施の形態１．
図１はこの発明の実施の形態１を示す乗客コンベアを利用者側から見た斜視図、図２はこの発明の実施の形態１を示す乗客コンベアを乗客コンベア内部から見た斜視図である。
【０００９】
一般に、乗客コンベアからなるエスカレータは、無端状に連結され、上下階の乗降口間を循環移動する複数の踏段１を有している。踏段１は、水平配置された踏板２、踏板２の一辺から湾曲下垂したライザー３、踏板２とライザー３の両縁部を固定する一対のブラケット４で構成されている。図において、ライザー３は、繊維強化された透明の樹脂材料で成形されており、透光性を有する透光部として機能しており、投影手段５は、エスカレータ内部の所定位置に投影方向をライザー３に向けて水平に固定配置されており、ライザー３に図柄や文字の表示６を投影する。投影手段５には、例えばＬＥＤ等の点光源が多数配置された光源が使用され、所望の表示６を行うことができるように、各点光源から発生する光の色や明るさを制御する制御手段が設けられており、制御手段は、エスカレータの制御盤やエスカレータ外部との通信手段を有し、表示６のデータの転送が可能となっている。
【００１０】
このように構成された乗客コンベアからなるエスカレータにおいては、ライザー３は透光性を有するため、投影手段５によりエスカレータ内部からライザー３に投影された表示６は、エスカレータの利用者側からライザー３を透過してライザー３の表面に浮き出たように視認される。なお、投影手段５は、エスカレータ内部の所定位置に固定配置されるため、循環移動するライザー３のうち、投影手段５の投影方向を一時的に通過するライザー３に順次、表示６を投影することになる。また、投影手段５は、所望の表示６を行うことができるように制御手段を有し、制御手段は、エスカレータの制御盤やエスカレータ外部との通信手段を有しているため、表示６手段の部材製作費や表示６の内容の変更に伴う部品の着脱の繰返しを必要としない。従って、部品の変形や磨耗による固定状態の悪化や、表示６の変更作業時の作業ミスにより部品の固定状態が不完全となることもなく、安全に表示６の変更が可能である。特にエスカレータ外部との通信手段を有している場合には、エスカレータの運転を停止することなく、エスカレータ外部からデータを転送等の方法により、容易に表示６の変更が可能である。
【００１１】
なお、循環移動している各踏段１のライザー３に表示６を希望する場合は、踏段１の高さ方向の間隔に対応した間隔で複数の投影手段５をエスカレータ内部に固定配置すればよい。また、通常、エスカレータの利用者が視線の範囲で、ライザー３に投影された表示６を視認できるのは、上昇するエスカレータを利用する場合である。従って、一個の投影手段５でライザー３に有効な表示６を行う場合は、乗客コンベアの乗口に立った乗客の視線の先に在り、段差走行中の完全に露出しているライザー３に対応した高さに、投影方向がライザー３に向けて水平になるように、投影手段５を固定配置すればよい。
【００１２】
実施の形態２．
図３はこの発明の実施の形態２を示す乗客コンベアを利用者側から見た斜視図、図４はこの発明の実施の形態２を示す乗客コンベアを乗客コンベア内部から見た斜視図である。
【００１３】
図において、踏板２は、繊維強化された透明の樹脂材料で成形されており、透光性を有する透光部として機能しており、投影手段５は、エスカレータ内部の所定位置に投影方向を踏板２に向けて鉛直上向きに固定配置されており、踏板２に図柄や文字の表示６を投影する。
【００１４】
このように構成された乗客コンベアからなるエスカレータにおいては、踏板２は透光性を有するため、投影手段５によりエスカレータ内部から踏板２に投影された表示６は、エスカレータの利用者側から踏板２を透過して踏板２の表面に浮き出たように視認される。なお、投影手段５は、エスカレータ内部の所定位置に固定配置されるため、循環移動する踏板２のうち、投影手段５の投影方向を一時的に通過する踏板２に順次、表示６を投影することになる。また、投影手段５は、所望の表示６を行うことができるように制御手段を有し、制御手段は、エスカレータの制御盤やエスカレータ外部との通信手段を有しているため、表示６の手段の部材製作費や表示６の内容の変更に伴う部品の着脱の繰返しを必要としない。従って、部品の変形や磨耗による固定状態の悪化や、表示６の変更作業時の作業ミスにより部品の固定状態が不完全となることもなく、安全に表示６の変更が可能である。特にエスカレータ外部との通信手段を有している場合には、エスカレータの運転を停止することなく、エスカレータ外部からデータを転送等の方法により、容易に表示６の変更が可能である。
【００１５】
なお、循環移動している各踏段１の踏板２に表示６を希望する場合は、踏段１の奥行き方向の間隔に対応した間隔で複数の投影手段５をエスカレータ内部に固定配置すればよい。また、通常、エスカレータの利用者は乗降部の境界にある最上段または最下段にある踏段１を目視確認してエスカレータに乗り降りする。従って、一個または二個の投影手段５で踏板２に有効な表示６を行う場合は、乗客が乗り降りする最初または最後の踏板２の直下に投影方向が鉛直上向きになるように、投影手段５を固定配置すればよい。
【００１６】
なお、上記実施の形態では、エスカレータを例として詳細の説明を行ったが、トラベータ等の乗客コンベアに適応できるのは明らかである。
また、踏板２やライザー３は、透光性を有する材料であればよく、一部に透光性を有する透光部を設けることによっても、同様の効果が期待できるのは言うまでもない。
さらに、投影手段５の光源はＬＥＤに限定する必要はなく、液晶フィルタとバックライトの構成等、表示６の内容を制御可能な投影手段５であれば、他の方式でも構わない。
【図面の簡単な説明】
【００１７】
【図１】この発明の実施の形態１を示す乗客コンベアを利用者側から見た斜視図である。
【図２】この発明の実施の形態１を示す乗客コンベアを乗客コンベア内部から見た斜視図である。
【図３】この発明の実施の形態２を示す乗客コンベアを利用者側から見た斜視図である。
【図４】この発明の実施の形態２を示す乗客コンベアを乗客コンベア内部から見た斜視図である。
【符号の説明】
【００１８】
１  踏段
２  踏板
３  ライザー
４  ブラケット
５  投影手段
６  表示
【図１】
2008007275.tif 000003
【図２】
2008007275.tif 000004
【図３】
2008007275.tif 000005
【図４】
2008007275.tif 000006